【事件の表示】
　特願２００５−２５３５１６「携帯電話装置及び携帯電話装置の制御方法」拒絶査定不服審判事件〔平成１９年　３月１５日出願公開、特開２００７−　６６１６９〕について、次のとおり審決する。
【結　論】
　本件審判の請求は、成り立たない。
【理　由】
１．手続の経緯
　本願は、平成１７年９月１日の出願であって、平成２２年８月６日付けで拒絶理由通知がなされ、同年１０月１２日付けで手続補正がなされたが、平成２３年３月２５日付けで拒絶査定がなされ、これに対し、同年６月２３日に拒絶査定不服審判の請求がなされるとともに、同日付けで手続補正がなされたものである。
　
２．本願発明
　本願の請求項１に係る発明は、平成２３年６月２３日付けの手続補正書により補正された特許請求の範囲の請求項１に記載されたとおりの次のものと認める。（以下、「本願発明」という。）
「複数の入力部と、
　前記複数の入力部の表面に設けられた前記入力部に対するユーザの接触を検知する接触検知センサと、
　前記複数の入力部を用いて情報が入力される第１情報入力モードと、前記接触検知センサを用いて特殊情報が入力される第２情報入力モードとを相互に切り替える入力モード切替部と、
　前記第１情報入力モードの場合には、前記入力部を用いて入力された情報を表示し、前記第２情報入力モードの場合には、前記接触検知センサを用いて入力された特殊情報を表示する表示部と、を備え、
　前記入力モード切替部は、前記第１情報入力モードの場合において、前記接触検知センサにより検知されたユーザの接触の回数が複数回のときに、前記第１情報入力モードから前記第２情報入力モードへと切り替えること、
　を特徴とする携帯電話装置。」
　
３．引用例
　これに対して、原査定の拒絶の理由に引用された特開２００１−３３３１６６号公報（以下、「引用例」という。）には、図面とともに次の事項が記載されている。
　
Ａ．「【０００１】
【発明の属する技術分野】本発明は、携帯電話機、携帯情報端末等における文字入力装置及び文字入力方法に関する。」
　
Ｂ．「【００１５】
【発明の実施の形態】以下、図面を参照して本発明の実施形態を説明する。　
（第１実施形態）図１及び図２は本発明の第１実施形態に係る文字入力装置を携帯電話機に実施した場合の例を示したもので、図１は携帯電話機の外観構成を示す正面図、図２は内部の回路構成を示すブロック図である。
【００１６】図１において、１１は携帯電話機本体で、上端部にアンテナ１２が設けられ、前面の上部に液晶表示パネル等を用いた表示部１３が設けられる。更に、上記携帯電話機本体１１の前面には、表示部１３の下方に例えばカーソルボタン、メニューボタン等のファンクションボタン１４及びボタン入力部１５が設けられる。このボタン入力部１５は、「テンキー（０〜９）」、「＊」、「＃」等の操作ボタンの他、電話を掛けるときの電話開始ボタン、誤入力をクリアするクリアボタン、電話終了ボタンあるいは電話帳等、例えば「３×５」の１５個の操作ボタン群からなっている。そして、上記ボタン入力部１５の各操作ボタンの表面には、手書き入力を検知するための、例えば透明電極等を用いた接触検知センサ１６が設けられる。この場合、各操作ボタンに設けられる接触検知センサ１６は、それぞれ複数例えば４つのエリアに細分化して座標数を増加させている。上記接触検知センサ１６は、ボタン入力部１５の操作ボタン上をユーザが指でなぞったときに、その接触を検知して携帯電話機本体１１内の文字認識処理部に出力する。
【００１７】上記携帯電話機本体１１内には、詳細を後述するように手書き文字を認識するための認識辞書が設けられており、上記接触検知センサ１６からの入力情報に基づいて手書き文字を認識するように構成されている。また、上記ファンクションボタン１４は、例えばメニューボタンあるいは特定のボタンの操作によって手書きによる文字入力モードを選択できる機能を備えている。
【００１８】次に、上記携帯電話機本体１１内に設けられる情報処理回路の構成について、図２を参照して説明する。図２において、２１はＣＰＵで、このＣＰＵ２１には、内部バス２２を介して無線による送受信部２３、ＲＯＭ２４、ＲＡＭ２５、認識辞書２６、表示部１３、ボタン入力部１５、接触検知センサ１６、マイク２７、及びスピーカ２８が接続される。
【００１９】ＣＰＵ２１は、内部バス２２により各部と接続されて全体の制御を司るもので、ＲＯＭ２４に記憶されたソフトウェア・プログラムを実行することにより各種の機能を実現する。
【００２０】送受信部２３は、アンテナ１２に接続され、相手機器と無線通信により基地局を介して送受信処理を行なう。ＲＯＭ２４は、ＣＰＵ２１を動作させるためのプログラム及び各種初期データを格納するための読み込み専用のメモリ装置であり、手書き入力文字の自動認識処理を含む各種の機能を実現するためのプログラムが格納されている。
【００２１】ＲＡＭ２５は、ＣＰＵ２１による読み書き可能なメモリ装置であり、各種データを一時的に記憶させる作業領域として使用される。認識辞書２６は、接触検知センサ１６により検知されたデータに対し、書き順、ストローク、入力位置等から文字を認識するための辞書であり、ＲＯＭ等のメモリに格納される。表示部１３は、カラーあるいは白黒の液晶表示パネルにより構成され、表示コントローラ（図示せず）の制御のもとで各種情報を表示する。マイク２７及びスピーカ２８は、ユーザによる通話時において、音声入力、音声出力を行なう。
【００２２】次に上記実施形態における文字入力及び文字認識処理について説明する。電話を掛ける際のダイヤル番号は、ボタン入力部１５のテンキーを押すことによって対応する数値が入力される。
【００２３】そして、英文字、かな文字を入力する場合には、メニューボタンあるいは特定のボタン操作によって手書きによる文字入力モードを指定する。この文字入力モードが指定されたことは、表示部１３におけるモード表示によって確認することができる。この状態で、ユーザは図３に示すように、入力したい文字（数字・かな・カナ・英字）のイメージ通りに指を使用してボタン入力部１５におけるボタン群の上をなぞる。図３（ａ）は「Ａ」の文字、同図（ｂ）は「た」の文字を入力した場合の例であり、３１は指先の軌跡を示している。
【００２４】上記指先の軌跡３１は、接触検知センサ１６により検知され、その入力座標がＣＰＵ２１へ送られる。ＣＰＵ２１は、接触検知センサ１６からの入力座標により、書き順、ストローク、入力値位置等に基づき認識辞書２６を参照して文字認識処理を行ない、その認識結果を表示部１３上のカーソル３２で示されている位置に表示する。このときカーソル３２は、隣の桁に移動して次の文字入力位置を指示する。」
　
　よって、上記Ａ，Ｂの記載及び関連する図面を参照すると、引用例には、次の発明（以下、「引用例記載の発明」という。）が記載されているものと認められる。
「複数の操作ボタンと、
　前記複数の操作ボタンの表面に設けられた前記操作ボタンに対するユーザの接触を検知する接触検知センサと、
　前記複数の操作ボタンを用いて文字が入力される文字入力モードと、前記接触検知センサを用いて文字が入力される手書きによる文字入力モードとを選択できるメニューボタンあるいは特定のボタンと、
　前記複数の操作ボタンを用いて文字が入力される文字入力モードの場合には、前記操作ボタンを用いて入力された文字を表示し、前記手書きによる文字入力モードの場合には、前記接触検知センサを用いて入力された文字を表示する表示部と、を備え、
　前記メニューボタンあるいは特定のボタンは、前記複数の操作ボタンを用いて文字が入力される文字入力モードの場合において、前記メニューボタンあるいは特定のボタン操作によって手書きによる文字入力モードが指定されたときに、前記複数の操作ボタンを用いて文字が入力される文字入力モードから前記手書きによる文字入力モードへと切り替える、
　携帯電話機。」
　
４．対比
　本願発明と引用例記載の発明とを対比すると、次のことがいえる。
　
（あ）引用例記載の発明における「操作ボタン」、「手書きによる文字入力モード」、「メニューボタンあるいは特定のボタン」、「携帯電話機」は、それぞれ、本願発明における「入力部」、「第２情報入力モード」、「入力モード切替部」、「携帯電話装置」に相当する。
　
（い）引用例記載の発明における操作ボタンを用いて入力される「文字」は、本願発明における入力部を用いて入力される「情報」に相当する。そして、引用例記載の発明における「複数の操作ボタンを用いて文字が入力される文字入力モード」は、本願発明における「複数の入力部を用いて情報が入力される第１情報入力モード」あるいは「第１情報入力モード」に相当する。
　
（う）引用例記載の発明における接触検知センサを用いて入力される「文字」と、本願発明における接触検知センサを用いて入力される「特殊情報」とは、ともに、接触検知センサを用いて入力される「情報」であるということができる。
　
（え）引用例記載の発明における「複数の操作ボタンを用いて文字が入力される文字入力モードと、・・・手書きによる文字入力モードとを選択できる」ことは、一般的に２つのモードを選択できれば２つのモードを相互に切り替えることができるから、本願発明における「第１情報入力モードと、・・・第２情報入力モードとを相互に切り替える」ことに相当する。
　
（お）引用例記載の発明における「前記メニューボタンあるいは特定のボタンは、前記複数の操作ボタンを用いて文字が入力される文字入力モードの場合において、前記メニューボタンあるいは特定のボタン操作によって手書きによる文字入力モードが指定されたときに、前記複数の操作ボタンを用いて文字が入力される文字入力モードから前記手書きによる文字入力モードへと切り替える」ことと、本願発明における「前記入力モード切替部は、前記第１情報入力モードの場合において、前記接触検知センサにより検知されたユーザの接触の回数が複数回のときに、前記第１情報入力モードから前記第２情報入力モードへと切り替えること」とは、ともに、「入力モード切替部は、第１情報入力モードの場合において、ユーザによる特定の操作がされたときに、前記第１情報入力モードから第２情報入力モードへと切り替える」ことであるということができる。
　
　上記（あ）〜（お）の事項を踏まえると、本願発明と引用例記載の発明とは、次の点で一致し、また、相違するものと認められる。
　
（一致点）
　本願発明と引用例記載の発明とは、ともに、
「複数の入力部と、
　前記複数の入力部の表面に設けられた前記入力部に対するユーザの接触を検知する接触検知センサと、
　前記複数の入力部を用いて情報が入力される第１情報入力モードと、前記接触検知センサを用いて情報が入力される第２情報入力モードとを相互に切り替える入力モード切替部と、
　前記第１情報入力モードの場合には、前記入力部を用いて入力された情報を表示し、前記第２情報入力モードの場合には、前記接触検知センサを用いて入力された情報を表示する表示部と、を備え、
　前記入力モード切替部は、前記第１情報入力モードの場合において、ユーザによる特定の操作がされたときに、前記第１情報入力モードから前記第２情報入力モードへと切り替える、
　携帯電話装置。」
である点。
  
（相違点）
相違点１：接触検知センサを用いて入力される「情報」が、本願発明においては、「特殊情報」であるのに対し、引用例記載の発明においては「文字」であり、「特殊情報」ではない点。
　
相違点２：入力モード切替部が第１情報入力モードから第２情報入力モードへと切り替えるのは、第１情報入力モードの場合において、「ユーザによる特定の操作がされたとき」であることが、本願発明においては、「接触検知センサにより検知されたユーザの接触の回数が複数回のとき」であるのに対し、引用例記載の発明においては、「メニューボタンあるいは特定のボタン操作によって手書きによる文字入力モードが指定されたとき」であり、「接触検知センサにより検知されたユーザの接触の回数が複数回のとき」ではない点。
　
５．判断
　そこで、上記相違点１，２について検討する。
　
（相違点１について）
　接触検知センサを用いて「特殊情報」を入力することは、例えば、特開２００４−１２６６６７号公報にタッチパネル１２０４を用いてシンボル選択アイコンＥ４の数式シンボルを入力することとして記載されているように、周知な事項であるから、引用例記載の発明において、上記周知な事項を適用して、接触検知センサを用いて入力される「情報」を、「文字」の代わりに「特殊情報」とすることは、当業者が適宜決定すべき設計事項にすぎない。
　
（相違点２について）
　一方の情報入力モードから他方の情報入力モードへと切り替えるのは、一方の情報入力モードの場合において、接触検知センサにより検知されたユーザの接触の回数が複数回のときであることは、例えば、特開平９−４４２８５号公報のＴａｂｌｅｔ１０９がダブルタップあるいはトリプルタップされたときであることや、特表２００３−５１６５７６号公報のカバー３上が１回以上の内の２回以上タッピングされるときであること等として記載されているように、周知技術である。
　したがって、引用例記載の発明において、上記周知技術を適用して、入力モード切替部が第１情報入力モードから第２情報入力モードへと切り替えるのは、第１情報入力モードの場合において、「メニューボタンあるいは特定のボタン操作によって手書きによる文字入力モードが指定されたとき」とする代わりに、「接触検知センサにより検知されたユーザの接触の回数が複数回のとき」とすることは、当業者が適宜実施できた程度のことにすぎない。
　
（本願発明の作用効果について）
　そして、本願発明の構成によってもたらされる効果も、引用例記載の発明、上記周知な事項、上記周知技術等から当業者が容易に予測することができる程度のものであって、格別のものとはいえない。
　
６．むすび
　以上のとおり、本願発明は、引用例記載の発明、上記周知な事項、上記周知技術等に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。